(57)【要約】【課題】睡眠姿勢に基づきベッド面を自動調整するベッド装置と方法の提供【解決手段】本発明による睡眠姿勢に基づきベッド面を自動調整するベッド装置は、多層ベッド体と、肩部エアバッグと、腰部エアバッグと、睡眠姿勢観測ユニットと、制御ボックスとを含む。多層ベッド体は上半層及び下半層を含み、上半層の材質は下半層の材質より柔らかい。肩部エアバッグは上半層に固定嵌設され、且つ下半層により支持される。腰部エアバッグは移動を可能として上半層に設置される。睡眠姿勢観測ユニットは使用者の睡眠姿勢に対応して観測信号を生成する。制御ボックスは観測信号を受信することにより使用者の睡眠姿勢を判断し、相応して肩部エアバッグまたは腰部エアバッグの給気または脱気を制御する。【選択図】図２
2020124498.tif 000002
【特許請求の範囲】
【請求項１】
睡眠姿勢に基づきベッド面を自動調整するベッド装置であり、多層ベッド体、肩部エアバッグ、腰部エアバッグ、睡眠姿勢観測ユニット及び制御ボックスを含み、
前記多層ベッド体が上半層及び下半層を含み、前記上半層の材質は前記下半層の材質より柔らかく、
前記肩部エアバッグが前記上半層に固定嵌設され、且つ前記肩部エアバッグが前記下半層により支持され、
前記腰部エアバッグが移動を可能として前記上半層に設置され、
前記睡眠姿勢観測ユニットが使用者の睡眠姿勢に対応して観測信号を生成し、
前記制御ボックスが前記観測信号を受信することで前記使用者の睡眠姿勢を判断し、相応して前記肩部エアバッグまたは前記腰部エアバッグの給気または脱気を制御することを特徴とする、睡眠姿勢に基づきベッド面を自動調整するベッド装置。
【請求項２】
前記上半層が多層構造を有し、前記腰部エアバッグが移動を可能として前記上半層の多層構造中に設置されることを特徴とする、請求項１に記載の睡眠姿勢に基づきベッド面を自動調整するベッド装置。
【請求項３】
前記腰部エアバッグが移動を可能として前記上半層の上表面に、または前記上半層と前記下半層との間に設置されることを特徴とする、請求項１に記載の睡眠姿勢に基づきベッド面を自動調整するベッド装置。
【請求項４】
前記睡眠姿勢観測ユニットが前記多層ベッド体の水平面上において前記肩部エアバッグと前記腰部エアバッグとの間に配置されることを特徴とする、請求項１に記載の睡眠姿勢に基づきベッド面を自動調整するベッド装置。
【請求項５】
前記睡眠姿勢観測ユニットが棒状支持体を有し、且つ前記棒状支持体には複数個の圧力センサが分布し、且つ複数個の前記圧力センサがそれぞれ前記制御ボックスと電気的接続することを特徴とする、請求項１に記載の睡眠姿勢に基づきベッド面を自動調整するベッド装置。
【請求項６】
睡眠姿勢に基づきベッド面を自動調整する方法であり、多層ベッド体に使用され、前記多層ベッド体が上半層及び下半層を含み、前記下半層の材質が前記上半層の材質より硬く、前記方法が、
肩部エアバッグを前記上半層に固定嵌設し、且つ前記肩部エアバッグを前記下半層により支持することと、
腰部エアバッグを移動を可能として前記上半層に設置することと、
睡眠姿勢観測ユニットを設置することで、前記睡眠姿勢観測ユニットが使用者の前記多層ベッド体における睡眠姿勢に対応して観測信号を生成することと、
前記睡眠姿勢観測ユニットの前記観測信号に基づいて前記使用者の睡眠姿勢を判断し、調整パラメータに基づいて前記肩部エアバッグ及び前記腰部エアバッグの給気または脱気を制御することで、前記肩部エアバッグ及び前記腰部エアバッグの高度を調整することを含むことを特徴とする、睡眠姿勢に基づきベッド面を自動調整する方法。
【請求項７】
前記睡眠姿勢観測ユニットを前記多層ベッド体の水平面上において前記肩部エアバッグと前記腰部エアバッグとの間に配置することを特徴とする、請求項６に記載の睡眠姿勢に基づきベッド面を自動調整する方法。
【請求項８】
前記上半層が多層構造を有し、前記腰部エアバッグを移動を可能として前記上半層の多層構造中に設置することを特徴とする、請求項６に記載の睡眠姿勢に基づきベッド面を自動調整する方法。
【請求項９】
更に、前記腰部エアバッグを移動を可能として前記上半層の上表面に、または前記上半層と前記下半層との間に設置することを含むことを特徴とする、請求項６に記載の睡眠姿勢に基づきベッド面を自動調整する方法。
【請求項１０】
更に、制御パネルを含む制御ボックスを設置し、前記制御ボックスが前記制御パネルの操作に基づいて、前記肩部エアバッグ及び前記腰部エアバッグに対し給気または脱気を行うことを含むことを特徴とする、請求項６に記載の睡眠姿勢に基づきベッド面を自動調整する方法。
【発明の詳細な説明】
【技術分野】
【０００１】
本発明はベッド装置と方法に関し、特に、睡眠姿勢に基づきベッド面の高度を自動調整するベッド装置と方法を指す。
【背景技術】
【０００２】
脊椎の健康状態は睡眠の品質を決定づける主な要因である。一般的には、人体の睡眠姿勢を支持するベッド体の高度が、脊椎の健康状態を一定程度において決定づけると理解されている。睡眠時において人体の睡眠姿勢は変動することがあり、例えば仰向け姿勢から横向き姿勢へ変化する、或いは横向き姿勢から仰向け姿勢へ変化するといったことがあるが、いずれも脊椎の支持が変化し得るものである。もし脊椎の支持が適切な調節を得られなければ、ある睡眠姿勢が長時間維持された場合、脊椎神経の圧迫や頸部筋肉への過度な圧力等が起こりうる。
【０００３】
台湾登録実用新案Ｍ５７０７１５において、睡眠姿勢に基づきベッド面を自動調整するベッドセットが開示されており、このベッドセットは支持層を用いて同一の高度において多数のエアバッグを布置している。人体の脊椎がＳ形を呈することから、人間工学に則ればエアバッグの給気及び脱気の際は、一般的には肩部箇所には比較的低い高度が求められ、腰部箇所には比較的高い高度が求められる。エアバッグがいずれもベッド体における同一の高度で設置されるとなれば、腰部箇所のエアバッグ給気高度は最高でもベッド体の表面箇所にしか達さず、特に腰椎椎弓が比較的深い（比較的Ｓである）使用者にとっては、腰部を支持する高度をベッド面の水平よりも高くすることはほぼ困難となり、つまり腰部に最適な支持効果を提供できなくなる。この場合、使用者は最良の睡眠品質を得られなくなる。
【０００４】
これ以外に、前述した背景技術のベッドセットは、多数のエアバッグが支持するベッド面上において、多数の圧力測定モジュールを布置している。エアバッグが支持するベッド面は通常柔軟性を備えるため、ベッド面は使用者の異なる睡眠姿勢により変形し、圧力測定モジュールの測定に影響が及んで、精確な測定が不可能になる。即ち使用者の異なる睡眠姿勢を正確に判断することができなくなる。
【先行技術文献】
【特許文献】
【０００５】
【特許文献１】台湾登録実用新案Ｍ５７０７１５号公報
【発明の概要】
【発明が解決しようとする課題】
【０００６】
本発明の目的は、睡眠姿勢に基づきベッド面を自動調整するベッド装置と方法を提供し、支持体を有する睡眠姿勢観測ユニットを用いて人体の睡眠姿勢の観測正確性を向上させ、且つ多層ベッド体の構造を通じて肩部エアバッグ及び腰部エアバッグを設置することで、異なる睡眠姿勢に対応するかたちで肩部及び腰部が必要とする支持高度を調整する。
【０００７】
上述した本発明の目的を達成するため、本発明は睡眠姿勢に基づきベッド面を自動調整するベッド装置を提供する。このベッド装置は、多層ベッド体と、肩部エアバッグと、腰部エアバッグと、睡眠姿勢観測ユニットと、制御ボックスとを含む。多層ベッド体は上半層及び下半層を含み、上半層の材質は下半層の材質より柔らかいものとなる。肩部エアバッグは上半層に固定嵌設され、且つ下半層により支持される。腰部エアバッグは移動を可能として上半層に設置される。睡眠姿勢観測ユニットは使用者の睡眠姿勢に対応して観測信号を生成する。制御ボックスは観測信号を受信することで使用者の睡眠姿勢を判断し、相応して肩部エアバッグまたは腰部エアバッグの給気または脱気を制御する。
【０００８】
上述した本発明の目的を達成するため、本発明は更に睡眠姿勢に基づきベッド面を自動調整する方法を提供し、この方法を多層ベッド体に応用する。多層ベッド体は上半層及び下半層を含み、且つ下半層の材質が上半層の材質より硬い。当方法は、肩部エアバッグを上半層に固定嵌設し、且つ肩部エアバッグを下半層により支持することと、腰部エアバッグを移動を可能として上半層に設置することと、使用者の多層ベッド体における睡眠姿勢に対応して観測信号を生成する睡眠姿勢観測ユニットを設置することと、睡眠姿勢センサの観測信号に基づいて使用者の睡眠姿勢を判断し、調整パラメータに基づいて肩部エアバッグまたは腰部エアバッグの給気または脱気を制御することで、肩部エアバッグまたは腰部エアバッグの高度を調整することとを含む。
【０００９】
そのうち、制御ボックスは給気モータセット、空気バルブセット、制御パネル及び制御ユニットを含む。給気モータセットは肩部エアバッグまたは腰部エアバッグに対し給気を行い、空気バルブセットは肩部エアバッグまたは腰部エアバッグに対し脱気を行う。制御ユニットは調整パラメータを保存するメモリを含み、且つ給気モータセット、空気バルブセット、制御パネルと電気的接続する。
【００１０】
そのうち、制御ユニットは観測信号を受信することにより使用者の睡眠姿勢を判断し、調整パラメータに基づいて給気モータセット及び空気バルブセットを制御することで、肩部エアバッグ及び腰部エアバッグの高度を調整する。また、制御ユニットは制御パネルの操作に対応して、肩部エアバッグ及び腰部エアバッグの高度を調整し、且つ制御パネルの操作結果を調整パラメータとしてメモリに保存する。
【００１１】
そのうち、上半層は多層構造を有する。腰部エアバッグは、移動を可能として上半層の多層構造中に設置されるか、或いは移動を可能として上半層の上表面に、または上半層と下半層との間に設置される。
【００１２】
そのうち、睡眠姿勢観測ユニットは多層ベッド体の水平面上において肩部エアバッグと腰部エアバッグとの間に配置される。
【００１３】
そのうち、睡眠姿勢観測ユニットは棒状支持体を含み、且つ棒状支持体には複数個の圧力センサが分布し、且つ複数個の圧力センサはそれぞれ制御ボックスと電気的接続する。
【００１４】
本発明が実施する、睡眠姿勢に基づきベッド面を自動調整するベッド装置と方法に基づけば、多層ベッド体は肩部エアバッグを固定嵌設し、且つ腰部エアバッグを移動を可能として設置することで、使用者が多層ベッド体に横たわった際、異なる睡眠姿勢に対応した肩部と腰部への最適な支持を獲得することが可能となり、特に腰椎椎弓が比較的深い（比較的Ｓである）使用者に対しては、睡眠品質の大幅な向上が達成される。また、背景技術のベッドセットが比較的多数のエアバッグの設置を必要とすることに比べ、本発明は肩部エアバッグと腰部エアバッグを設置するのみであり、ゆえに製造コストが低く抑えられる。
【図面の簡単な説明】
【００１５】
【図１】本発明によるベッド装置のブロック図である。
【図２】本発明によるベッド装置に使用者が体を横たえた場合の上面図である。
【図３Ａ】本発明によるベッド装置の多層ベッド体の断面図である。
【図３Ｂ】本発明によるベッド装置の多層ベッド体の断面図である。
【図３Ｃ】本発明によるベッド装置の多層ベッド体の断面図である。
【図３Ｄ】本発明によるベッド装置の多層ベッド体の断面図である。
【図４】本発明によるベッド装置の睡眠姿勢観測ユニットの断面図である。
【図５】本発明によるベッド装置が睡眠姿勢に基づきベッド面を自動調整する際のステップ図である。
【発明を実施するための形態】
【００１６】
まず、図１が示す本発明によるベッド装置のブロック図を参照する。本発明の一実施形態において、睡眠姿勢に基づきベッド面を自動調整するベッド装置は、制御ボックス１０、肩部エアバッグ１７、腰部エアバッグ１６及び睡眠姿勢観測ユニット１９を含む。肩部エアバッグ１７はキュービックエアバッグであり、腰部エアバッグ１６はフラットエアバッグである。睡眠姿勢観測ユニット１９は複数個の圧力センサ（図示していない）を含み、制御ボックス１０は睡眠姿勢観測ユニット１９の複数個の圧力センサと電気的接続することで、複数個の圧力観測信号を受信する。また制御ボックス１０はそれぞれ肩部エアバッグ１７及び腰部エアバッグ１６と連通することで、肩部エアバッグ１７及び腰部エアバッグ１６に対し給気または脱気を行ってその高度を調整する。本発明の一実施形態において、肩部エアバッグ１７の形状は長方形であり、腰部エアバッグ１６の形状は楕円形または半円形であり、そのうち肩部エアバッグ１７及び腰部エアバッグ１６の内部空間において複数個の間隔支持パーツ（図示していない）が設置され、これによりエアバッグの給気または脱気の際に元の形状が維持されて変形しなくなる。
【００１７】
本発明によるベッド装置の制御ボックス１０は、給気モータセット及び空気バルブセットを含む。給気モータセットは二個の給気モータ１２、１３から構成され、二個の給気モータ１２、１３はそれぞれ肩部エアバッグ１７及び腰部エアバッグ１６に対し給気を行う。空気バルブセットは二個の空気バルブ１４、１５から構成され、二個の空気バルブ１４、１５はそれぞれ肩部エアバッグ１７及び腰部エアバッグ１６に対し脱気を行う。肩部エアバッグ１７は給気モータ１２及び空気バルブ１４と連通し、腰部エアバッグ１６は給気モータ１３及び空気バルブ１５と連通し、そのうち給気モータ１２、１３及び空気バルブ１４、１５は制御ユニット１１と電気的接続し、制御ユニット１１により給気モータ１２、１３及び空気バルブ１４、１５の作動が制御される。
【００１８】
本発明における制御ボックス１０の制御ユニット１１はメモリを有し（図示していない）、且つ睡眠姿勢観測ユニット１９及び制御パネル１８と電気的接続する。制御パネル１８はワイヤレス通信によりリモートコントローラ（図示していない）と接続する。制御ユニット１１は睡眠姿勢観測ユニット１９より、複数個の圧力センサの複数個の圧力観測信号を受信し、また、これに基づき睡眠姿勢を判断する調整パラメータを前記メモリに保存する。制御ユニット１１は、前記リモートコントローラによる制御パネル１８への操作に対応して、給気モータ１２、１３及び空気バルブ１４、１５の作動を制御し、これにより肩部エアバッグ１７及び腰部エアバッグ１６の高度を調整し、並びに制御パネル１８の操作結果を前記調整パラメータの一部として前記メモリに保存する。他にも、本発明の制御ボックス１０は更に二つの空気圧センサ（図示していない）を含むことができ、この二つの空気圧センサは制御ユニット１１と電気的接続して、肩部エアバッグ１７及び腰部エアバッグ１６の圧力をそれぞれ観測することができる。制御パネル１８の操作結果には、異なる睡眠姿勢に対応する際の肩部エアバッグ１７及び腰部エアバッグ１６の圧力、及び異なる睡眠姿勢に対応する際の給気モータ及び空気バルブを制御する電気的特性が含まれる。
【００１９】
次に、図２が示す本発明によるベッド装置に使用者が体を横たえた場合の上面図を参照する。本発明の一実施形態において、多層ベッド体２０は肩部エアバッグ１７、腰部エアバッグ１６及び睡眠姿勢観測ユニット１９を配置する。多層ベッド体２０の上面図を見れば、図２に示すように肩部エアバッグ１７は枕３０に近接し、腰部エアバッグ１６は移動を可能として使用者の腰部位置に対応して設置される。睡眠姿勢観測ユニット１９は多層ベッド体２０の水平面上において肩部エアバッグ１７と腰部エアバッグ１６との間に配置される。多層ベッド体２０のベッド面に使用者が体を横たえた際、図２に示すように肩部エアバッグ１７及び腰部エアバッグ１６の位置は使用者の睡眠姿勢における肩部及び腰部を支持するのに適した位置となり、また睡眠姿勢観測ユニット１９の位置は使用者の仰向け睡眠姿勢及び横向き睡眠姿勢を観測するのに適した位置となる。
【００２０】
続いて、図３Ａ乃至３Ｄが示す本発明によるベッド装置の多層ベッド体の断面図を参照する。本発明の多種の実施形態において、多層ベッド体２０は層状構造であり、上半層及び下半層を含む。そのうち下半層は支持層２１となり、上半層は調整層となる。この調整層は多層のフォーム構造２２、または比較的厚い一層のフォーム構造２２とすることができる。ゆえに、上半層の材質は下半層の材質より柔らかいものとなる。多層ベッド体２０は更にベッドシーツ２３を含み、ベッドシーツ２３は上半層及び下半層により構成される層状構造を収容する。以下では、二層のフォーム構造２２を多層ベッド体２０の上半層として、本発明の多種の実施形態を説明する。
【００２１】
本発明の多種の実施形態において、多層ベッド体２０はベッドシーツ２３を含み、ベッドシーツ２３は支持層２１及び二層のフォーム構造２２を収容する。ベッドシーツ２３のベッド面は、厚くても薄くてもよい快適層を有する。肩部エアバッグ１７は枕３０の下方に近接した位置で、前記上半層の二層のフォーム構造２２中に固定嵌設される。肩部エアバッグ１７は好ましくはキュービックエアバッグであり、その最大給気高度は５ｃｍとすることができる。肩部エアバッグ１７の給気高度は前記上半層の高度に等しいか、または前記上半層の高度より小さくなる（即ち、最大で前記上半層と同じ高さである）。
【００２２】
また、使用者の腰部位置に対応しつつ、腰部エアバッグ１６は二層のフォーム構造２２の上表面に貼設することができ（図３Ａを参照）、或いは腰部エアバッグ１６は二層のフォーム構造２２の上層のフォームに嵌設することができ（図３Ｂを参照）、或いは腰部エアバッグ１６は二層のフォーム構造２２の下層のフォームに嵌設することができ（図３Ｃを参照）、或いは腰部エアバッグ１６は二層のフォーム構造２２の下表面に貼設することが、即ち支持層２１と二層のフォーム構造２２との間に位置することができる（図３Ｄを参照）。そのうち、腰部エアバッグ１６は好ましくはフラットエアバッグであり、その最大給気高度は３．５ｃｍとすることができる。この他、図３Ａ乃至３Ｄが示す実施形態において、二層のフォーム構造２２は比較的厚い一層のフォーム構造２２へと取り替えることもできる。
【００２３】
続いて、図４が示す本発明によるベッド装置の睡眠姿勢観測ユニットの断面図を参照する。本発明の一実施形態において、使用者の異なる睡眠姿勢によりベッド面が変形し、圧力測定モジュールの測定の精確性に影響が出やすいという問題を解決するために、本発明の睡眠姿勢観測ユニット１９は棒状支持体１９２を含み、この棒状支持体１９２が多層ベッド体２０の水平面において、肩部エアバッグ１７と腰部エアバッグ１６との間に位置するように配置される。前記棒状支持体の上表面には複数個の圧力センサ１９１が配置され、複数個の圧力センサ１９１と制御ボックス１０の制御ユニット１１とは電気的接続する。睡眠姿勢観測ユニット１９は、多層フォーム構造２２の上表面に設置されるか、または二層のフォーム構造２２中に挟設されるかに関わらず、この支持体の設計により、使用者がベッド面に体を横たえた際の変形の度合いがどうであれ圧力センサ１９１の測定に影響を及ぼさない。そのため測定の精確性は効果的に向上し、制御ユニット１１が使用者の睡眠姿勢を判断する際の正確さが上昇する。本発明の一実施形態において、複数個の圧力センサのうちの一個または多数個は、高い測定感度を備える圧力センサとすることができ、この高い測定感度を備える圧力センサは、人体の睡眠時に呼吸または心臓の拍動により起こる微幅な体動を観測することができる。これにより、睡眠姿勢の観測結果及び前記微幅な体動の観測結果に基づき、睡眠時無呼吸症候群といった関連する睡眠疾病の判断材料となりうる睡眠指標の獲得が可能となる。
【００２４】
続いて、図５が示す本発明によるベッド装置が睡眠姿勢に基づきベッド面を自動調整する際のステップ図を参照する。本発明の一実施形態において、睡眠姿勢に基づきベッド面を自動調整する方法は、図１に示されるベッド装置の多層ベッド体２０に用いられ、当方法はステップ１０１乃至ステップ１０４を含む。ステップ１０１では、使用者が多層ベッド体２０のベッド面上に体を横たえて、そして制御パネル１８の操作に基づき、制御ユニット１１がそれぞれ使用者の仰向け睡眠姿勢及び横向き睡眠姿勢、並びに睡眠姿勢の変換過程に対応し、睡眠姿勢観測ユニット１９の圧力観測結果を調整パラメータとして記録し、且つメモリに保存する。
【００２５】
本発明の一実施形態において、睡眠姿勢の変換過程に関しては、使用者が多層ベッド体２０に横たわって眠る際、もし横向き睡眠姿勢であれば、睡眠姿勢観測ユニット１９は一つの最大圧力値を測定し、もし仰向け睡眠姿勢であれば、睡眠姿勢観測ユニット１９は二つの最大圧力値を測定する。そして睡眠姿勢観測ユニット１９は測定した最大圧力値の数量に基づいて、使用者の現在の睡眠姿勢の形態が仰向けか横向きかを判断することができる。制御ユニット１１は前述の睡眠姿勢の判断結果に基づき、並びにパラメータ設定に基づき、前記給気モータセットまたは前記空気バルブセットによる肩部エアバッグ１７及び腰部エアバッグ１６への給気または脱気動作を制御し、これにより使用者の肩部または腰部の圧力を最適圧力Ｐ’へと増加或いは減少させる。
【００２６】
前記パラメータ設定は、使用者に関連する生理的または非生理的パラメータ（例えば身長、体重、年齢または性別等）を含み、これは業者により設定を行うことで、或いは使用者が制御パネル１８の操作を通じて自分で設定を行うことで、調整パラメータをメモリ内に保存することができる。これにより、制御ユニット１１は使用者の睡眠姿勢が仰向けか横向きかを判断した後において、使用者に関連する生理的または非生理的パラメータに基づき、エアバッグ１７、１６を最適な軟硬度に調整することができ、更に使用者の肩部または腰部の圧力を最適圧力へと調整することができる。下において、ステップ１０２、１０３と調整パラメータの保存に関する説明を行う。
【００２７】
ステップ１０２では、使用者の仰向け睡眠姿勢に対応して、制御パネル１８の操作に基づき、制御ユニット１１が前記給気モータセット及び前記空気バルブセットを制御して肩部エアバッグ１７及び腰部エアバッグ１６に対し給気または脱気を行うことで、肩部エアバッグ１７及び腰部エアバッグ１６の高度を調整し、仰向け睡眠姿勢に適するかたちで使用者の肩部及び腰部を支持し、且つ制御パネル１８の操作結果を調整パラメータとしてメモリに保存する。使用者が仰向け睡眠姿勢の場合、肩部エアバッグ１７が必要とする脱気の程度は少ない。ゆえに肩部エアバッグ１７の仰向け姿勢での高度は、横向き姿勢での高度よりも高くなり、また制御パネル１８の操作は使用者の腰椎椎弓の浅さ、深さによって決まる。もし使用者の腰椎椎弓が比較的深い（比較的Ｓである）場合、腰部エアバッグ１６が必要とする給気の程度は大きい（即ち給気高度が比較的高い）。もし使用者の腰椎椎弓が比較的浅い（比較的Ｓが明らかでない）場合、腰部エアバッグ１６が必要とする給気の程度は少ない（即ち給気高度が比較的低い）。
【００２８】
ステップ１０３では、使用者の横向き睡眠姿勢に対応して、制御パネル１８の操作に基づき、制御ユニット１１が前記給気モータセット及び前記空気バルブセットを制御して肩部エアバッグ１７及び腰部エアバッグ１６に対し給気または脱気を行うことで、肩部エアバッグ１７及び腰部エアバッグ１６の高度を調整し、横向き睡眠姿勢に適するかたちで使用者の肩部及び腰部を支持し、且つ制御パネル１８の操作結果を調整パラメータとしてメモリに保存する。使用者が横向き睡眠姿勢の場合、肩部エアバッグ１７が必要とする脱気の程度は大きい。ゆえに肩部エアバッグ１７の横向き姿勢での高度は、仰向け姿勢での高度よりも低くなり、また制御パネル１８の操作は使用者の側面のウエストラインによって決まる。もし使用者のウエストラインが比較的はっきりとしている場合、腰部エアバッグ１６が必要とする給気の程度は大きい（即ち給気高度が比較的高い）。もし使用者のウエストラインが比較的はっきりとしていない（例えば俗に言う「寸胴」である）場合、腰部エアバッグ１６が必要とする給気の程度は少ない（即ち給気高度が比較的低い）。
【００２９】
ステップ１０４では、ステップ１０１、１０２及び１０３の後において、制御ユニット１１のメモリが一組の調整パラメータを保存する。この調整パラメータは、睡眠姿勢を判断する圧力観測結果に関連すると共に使用者の睡眠姿勢に対応し、前記給気モータセット及び前記空気バルブセットが肩部エアバッグ１７及び腰部エアバッグ１６に対し給気または脱気を行う電気的特性を制御する。
【００３０】
使用者が多層ベッド体２０に横たわって眠ると、制御ユニット１１は睡眠姿勢観測ユニット１９の圧力観測結果についての監視及び制御を即時行い、睡眠姿勢を判断する圧力観測結果の調整パラメータに基づき、使用者の現在の睡眠姿勢を判断する。制御ユニット１１は判断した睡眠姿勢に基づいて、相応してメモリを読み込んで前記給気モータセット及び前記空気バルブセットを制御する電気的特性を保存することで、前記給気モータセット及び前記空気バルブセットによる肩部エアバッグ１７及び腰部エアバッグ１６への給気または脱気を制御して、肩部エアバッグ１７及び腰部エアバッグ１６の高度並びに最適な軟硬度を調整する。これにより、判断された睡眠姿勢に適するかたちで、使用者の肩部または腰部の圧力を最適圧力へと調整する。
【００３１】
発明は当業者であれば諸般の修飾が可能であるが、いずれも後付の特許請求の範囲の保  護範囲に含まれる。
【符号の説明】
【００３２】
１０                            制御ボックス
１１                            制御ユニット
１２、１３                      給気モータ
１４、１５                      空気バルブ
１６                            腰部エアバッグ
１７                            肩部エアバッグ
１８                            制御パネル
１９                            睡眠姿勢観測ユニット
２０                            多層ベッド体
２１                            支持層
２２                            調整層
２３                            ベッドシーツ
３０                            枕
１０１、１０２、１０３、１０４  ステップ
１９１                          圧力センサ
１９２                          棒状支持体
【図１】
2020124498.tif 000003
【図２】
2020124498.tif 000004
【図３Ａ】
2020124498.tif 000005
【図３Ｂ】
2020124498.tif 000006
【図３Ｃ】
2020124498.tif 000007
【図３Ｄ】
2020124498.tif 000008
【図４】
2020124498.tif 000009
【図５】
2020124498.tif 000010